(57)【要約】【課題】十分な耐熱性を有し、かつ、高い洗浄力を発揮できる洗車ブラシを提供する。【解決手段】回転軸の外周部に複数のブラシ片が形成されてある洗車ブラシにおいて、ブラシ片に超低密度ポリエチレン樹脂が使用されてあるものである。【選択図】        図１
2004249037.tif 000002
【特許請求の範囲】
【請求項１】
回転軸の外周部に複数のブラシ片が形成されてある洗車ブラシにおいて、前記ブラシ片に超低密度ポリエチレン樹脂が使用されてあることを特徴とする洗車ブラシ。
【請求項２】
請求項１記載の構成よりなる洗車ブラシにおいて、前記ブラシ片に超低密度ポリエチレン樹脂及び低密度ポリエチレン樹脂が所定重量％配合して使用されてあることを特徴とする洗車ブラシ。
【請求項３】
請求項１あるいは２記載の構成よりなる洗車ブラシにおいて、前記ブラシ片に複数の独立気泡が形成されてある発泡体が使用されてあることを特徴とする洗車ブラシ。
【請求項４】
請求項１から３記載の構成よりなる洗車ブラシにおいて、前記超低密度ポリエチレン樹脂の密度が０．９１ｇ／ｃｍ３未満、前記低密度ポリエチレン樹脂の密度が０．９１ｇ／ｃｍ３〜０．９２９ｇ／ｃｍ３であることを特徴とする洗車ブラシ。
【発明の詳細な説明】
【０００１】
【発明の属する技術分野】
本発明は、電車、バス、自動車等の各種車両及び航空機等の壁面に使用する洗車ブラシに関するものである。
【０００２】
【従来の技術】
洗車ブラシについては、さまざまな改良がなされ、ブラシ片に、エチレン−ビニルアセテート樹脂（以下、ＥＶＡと表わす）の発泡体を使用した洗浄ブラシが製作されてある。ＥＶＡは、融点が比較的低く、柔軟性があって、凍結しにくく、かつ、含水時の重量％変化が小さい等の長所を有する材料であるが、摩擦係数が高く、柔軟性が気温変化の影響を受け易い為、ブラシ片の腰の強さが、気温により大きく変化し、洗浄力が低下したり、被洗浄面を傷つけたりする現象が発生していた。
【０００３】
次に、ＥＶＡの有する課題を解決すべく、特開２００２−３１６６２３に開示の如く、ブラシ片に、エチレン−エチルアクリレート樹脂（以下、ＥＥＡと表わす）の発泡体を使用した洗浄ブラシが提案されてある。ＥＥＡは、ＥＶＡと比較して、摩擦係数が少なく、耐熱性が向上されてあり、かつ、柔軟性が気温変化の影響を受けにくい為、ＥＶＡよりも洗浄力が低下したり、被洗浄面を傷つけたりする程度を低減できる。しかし、ＥＥＡにおいても、夏場にブラシ片が熱収縮を起こして変形あるいは劣化したり、使用不能になる場合があった。
【０００４】
【発明が解決しようとする課題】
本発明は、上記のような課題を解決するためになされたもので、十分な耐熱性を有し、かつ、高い洗浄力を発揮できる洗車ブラシを提供することを目的としている。
【０００５】
【課題を解決するための手段】
本発明にかかる洗車ブラシは、次のように構成したものである。
（１）回転軸の外周部に複数のブラシ片が形成されてある洗車ブラシにおいて、ブラシ片に超低密度ポリエチレン樹脂が使用されてあるものである。
【０００６】
（２）上記（１）記載の洗車ブラシにおいて、ブラシ片に超低密度ポリエチレン樹脂及び低密度ポリエチレン樹脂が所定重量％配合して使用されてあるものである。
【０００７】
（３）上記（１）あるいは（２）記載の洗車ブラシにおいて、ブラシ片に複数の独立気泡が形成されてある発泡体が使用されてあるものである。
【０００８】
（４）上記（１）から（３）記載の洗車ブラシにおいて、超低密度ポリエチレン樹脂の密度が０．９１ｇ／ｃｍ３未満、低密度ポリエチレン樹脂の密度が０．９１ｇ／ｃｍ３〜０．９２９ｇ／ｃｍ３であるものである。
【０００９】
【発明の実施の形態】
実施の形態を、図に基づいて説明する。図１は、本発明の洗車ブラシを前面側から見た斜視図である。図１において、１は洗車ブラシ、２は回転軸、３、４、５はブラシ片、６はスリット、７は円孔、８は止め金具、９は溝部である。図２は、本発明のブラシ片に使用した超低密度ポリエチレン樹脂及び低密度ポリエチレン樹脂が所定重量％配合された材料、及びＥＥＡの引張荷重を表わすグラフである。図３は、引張試験の設置状態を表わす正面図である。
【００１０】
本発明の洗車ブラシ１は、図１の如く、回転軸２、ブラシ片３、４、５及び止め金具８より構成されてある。ブラシ片３、４、５は、止め金具８に装着されて、回転軸２の外周部に形成された溝部にたいして、勘合挿入されて、複数、形成されてある。
【００１１】
ブラシ片４は、複数の独立気泡を有する発泡体であり、材質には、超低密度ポリエチレン樹脂（以下、ＶＬＤＰＥと表わす）が使用されてある。一般的には、ＶＬＤＰＥの密度は、０．９１ｇ／ｃｍ３未満であるが、ブラシ片４には、密度が０．９８５ｇ／ｃｍ３〜０．９０９ｇ／ｃｍ３の範囲のＶＬＤＰＥが、使用されてある。ＶＬＤＰＥの融点は、約１１５度であり、従来のＥＶＡの融点約５０度、ＥＥＡの融点約８０度に比べて、高い融点を有している。ＶＬＤＰＥは、従来のＥＶＡ、ＥＥＡに比べて、高い耐熱性を有している為、ブラシ片４は、夏場に熱収縮を起こして変形、あるいは劣化したり、使用不能になる事がない。また、十分な耐熱性を有している為、高い洗浄力を発揮できる。
【００１２】
また、ブラシ片３、５は、複数の独立気泡を有する発泡体であり、材質には、ＶＬＤＰＥと、低密度ポリエチレン樹脂（以下、ＬＤＰＥと表わす）が、所定重量％配合して使用されてある。一般的には、ＬＤＰＥの密度は、０．９１ｇ／ｃｍ３〜０．９２９ｇ／ｃｍ３であり、ブラシ片３、５には、密度が０．９８５ｇ／ｃｍ３〜０．９０９ｇ／ｃｍ３の範囲のＶＬＤＰＥと、密度が０．９１ｇ／ｃｍ３〜０．９２９ｇ／ｃｍ３の範囲のＬＤＰＥが、使用されてある。重量％は、ＶＬＤＰＥが８０重量％、ＬＤＰＥが２０重量％、配合して使用されてある。ＬＤＰＥの融点は、約１０７度から１２０度であり、ＶＬＤＰＥと同様、従来のＥＶＡの融点約５０度、ＥＥＡの融点約８０度に比べて、高い融点を有している。ＶＬＤＰＥ及びＬＤＰＥは、従来のＥＶＡ、ＥＥＡに比べて、高い耐熱性を有している為、ブラシ片３、５は、夏場に熱収縮を起こして、変形、あるいは劣化したり、使用不能になる事がない。また、十分な耐熱性を有している為、高い洗浄力を発揮できる。さらにまた、ブラシ片３、５は、複数の独立気泡が形成されてある発泡体が使用されてある為、含水による重量変化が少ない。
【００１３】
また、図２及び図３の如く、ブラシ片３、５に使用した材料と同じく、ＶＬＤＰＥが８０重量％、ＬＤＰＥが２０重量％、配合された材料の引張試験を実施したので、説明する。前記の材料を、図３の如く、幅８ミリ（図中Ｗ０）、高さ２．５ミリ（図中Ｈ）、引張部長さ５０ミリ（図中Ｌ０）に形成し、引張部長さが、所定長さ（図中Ｌ）まで延びたときの引張荷重（図中Ｗ）を測定し、破断するまで延ばした。従来のＥＥＡについても、ＶＬＤＰＥが８０重量％、ＬＤＰＥが２０重量％、配合された材料と同様に形成し、所定長さまで延びたときの引張荷重を測定し、破断するまで延ばした。その後、２種類の材料を比較して、図２の如くのグラフとした。
【００１４】
引張荷重を測定した結果、図２の如く、所定長さＬ（単位ミリ）における引張荷重Ｗ（単位Ｎ：ニュートン）は、ＶＬＤＰＥが８０重量％、ＬＤＰＥが２０重量％、配合された材料が、ＥＥＡに比べて、約１．５倍から２倍、引張荷重が高くなっている。また、破断した時まで延ばすことができた長さ（Ｌ−Ｌ０）についても、ＶＬＤＰＥが８０重量％、ＬＤＰＥが２０重量％、配合された材料は１５０ミリ、ＥＥＡは１００ミリであり、ＶＬＤＰＥが８０重量％、ＬＤＰＥが２０重量％、配合された材料は、ＥＥＡに比べて、約１．５倍延ばすことができた。つまり、ＶＬＤＰＥが８０重量％、ＬＤＰＥが２０重量％、配合された材料は、ＥＥＡに比べて、耐引張強度が高く、かつ、延びにたいする耐久性が高い。その為、本発明の洗車ブラシは、耐引張強度及び延びにたいする耐久性が高いブラシ片を使用することができ、高い洗浄力を発揮できる。
【００１５】
本発明の実施の形態の洗車ブラシは、上記の如くの構成となっているが、ＶＬＤＰＥ及びＬＤＰＥの重量％の配合比、密度、ブラシ片のスリット等の詳細形状、洗車ブラシの構造は、使用する目的に応じて、適時、最適になるように設定しても、何ら支障は無い。また、ＶＬＤＰＥのみを使用する場合においても、密度、ブラシ片のスリット等の詳細形状は、使用する目的に応じて、適時、最適になるように設定しても、何ら支障は無い。
【００１６】
【発明の効果】
以上の説明から明らかなように、本発明の洗車ブラシは次に示すような効果を得ることができる。
【００１７】
超低密度ポリエチレン樹脂は、従来のＥＶＡ、ＥＥＡに比べて、高い耐熱性を有している為、ブラシ片は、夏場に熱収縮を起こして変形、あるいは劣化したり、使用不能になる事がない。また、十分な耐熱性を有している為、高い洗浄力を発揮できる。
【００１８】
超低密度ポリエチレン樹脂及び低密度ポリエチレン樹脂が所定重量％配合されてあるブラシ片を使用した場合には、従来のＥＶＡ、ＥＥＡに比べて、高い耐熱性を有している為、ブラシ片は、夏場に熱収縮を起こして、変形、あるいは劣化したり、使用不能になる事がない。また、十分な耐熱性を有している為、高い洗浄力を発揮できる。さらにまた、ブラシ片は、複数の独立気泡が形成されてある発泡体が使用されてある為、含水による重量変化が少ない。
【００１９】
超低密度ポリエチレン樹脂及び低密度ポリエチレン樹脂が所定重量％配合された材料は、ＥＥＡに比べて、耐引張強度が高く、かつ、延びにたいする耐久性が高い。その為、本発明の洗車ブラシは、耐引張強度及び延びにたいする耐久性が高いブラシ片を使用することができ、高い洗浄力を発揮できる。
【図面の簡単な説明】
【図１】本発明の洗車ブラシを前面側から見た斜視図である。
【図２】本発明のブラシ片に使用した超低密度ポリエチレン樹脂及び低密度ポリエチレン樹脂が所定重量％配合された材料、及びＥＥＡの引張荷重を表わすグラフである。
【図３】引張試験の設置状態を表わす正面図である。
【符号の説明】
１  洗車ブラシ  ２  回転軸  ３、４、５  ブラシ片  ６  スリット
７  円孔  ８  止め金具  ９  溝部
【図１】
2004249037.tif 000003
【図２】
2004249037.tif 000004
【図３】
2004249037.tif 000005